(57)【要約】【課題】ＩＰネットワークを通信インフラとする無線基地局の位置登録を簡単に行うことができる無線基地局の位置登録システム等を提供する。【解決手段】無線基地局の位置登録システムは、無線基地局１との間でセルラー無線信号の送受信を行うセルラー送受信部２０１と、ＧＰＳ衛星からの信号に基づいて自己の位置情報を取得するＧＰＳ部２０２と、を有するＧＰＳ搭載セルラー端末２と、ＧＰＳ搭載セルラー端末２との間でセルラー無線信号の送受信を行うセルラー送受信部１０１と、ＩＰネットワークの接続状態を検出するＩＰネットワーク接続状態検出部１０２と、ＩＰネットワークの接続状態に基づいて前記ＧＰＳ搭載セルラー端末から前記位置情報を取得して自己の登録位置とする位置登録部１０３と、を有する、前記無線基地局１と、を備える。これにより、無線基地局の位置登録を簡単に行うことができる。【選択図】図２
2009200644.tif 000002
【特許請求の範囲】
【請求項１】
ＩＰネットワークを通信インフラとする無線基地局の位置登録を行うための無線基地局の位置登録システムであって、
前記無線基地局との間でセルラー無線信号の送受信を行うセルラー送受信部と、ＧＰＳ衛星からの信号に基づいて自己の位置情報を取得するＧＰＳ部と、を有するＧＰＳ搭載セルラー端末と、
前記ＧＰＳ搭載セルラー端末との間でセルラー無線信号の送受信を行うセルラー送受信部と、ＩＰネットワークの接続状態を検出するＩＰネットワーク接続状態検出部と、ＩＰネットワークの接続状態に基づいて前記ＧＰＳ搭載セルラー端末から前記位置情報を取得して自己の登録位置とする位置登録部と、を有する、前記無線基地局と、を備える、
無線基地局の位置登録システム。
【請求項２】
前記無線基地局の前記位置登録部は、前記ＧＰＳ搭載セルラー端末がＧＰＳ衛星からの信号に基づいて自己の位置情報を取得できない場合には、前記ＧＰＳ搭載セルラー端末の過去の位置情報を取得して自己の登録位置とする、
請求項１記載の無線基地局の位置登録システム。
【請求項３】
前記ＧＰＳ搭載セルラー端末の前記セルラー送受信部は、自己の位置情報と関連づけられたＧＰＳ信号を受信した時刻を送信し、
前記無線基地局の前記位置登録部は、前記ＧＰＳ搭載セルラー端末との無線リンクが確立した時刻が前記ＧＰＳ搭載セルラー端末がＧＰＳ信号を受信した時刻から所定時間以内のときは、前記ＧＰＳ搭載セルラー端末の過去の位置情報を取得して自己の登録位置とする、
請求項２記載の無線基地局の位置登録システム。
【請求項４】
前記無線基地局の前記ＩＰネットワーク接続状態検出部は、前記無線基地局に接続している機器のＭＡＣアドレスに基づいてＩＰネットワークの接続状態を検出する、
請求項１乃至請求項３のいずれかに記載の無線基地局の位置登録システム。
【請求項５】
前記無線基地局の前記ＩＰネットワーク接続状態検出部は、前記無線基地局の電源のＯＮ／ＯＦＦに基づいてＩＰネットワークの接続状態を検出する、
請求項１乃至請求項３のいずれかに記載の無線基地局の位置登録システム。
【請求項６】
ＩＰネットワークを通信インフラとする無線基地局であって、
ＧＰＳ搭載セルラー端末との間でセルラー無線信号の送受信を行うセルラー送受信部と、ＩＰネットワークの接続状態を検出するＩＰネットワーク接続状態検出部と、ＩＰネットワークの接続状態に基づいて前記ＧＰＳ搭載セルラー端末から前記位置情報を取得して自己の登録位置とする位置登録部と、を有する、
無線基地局。
【請求項７】
前記位置登録部は、前記ＧＰＳ搭載セルラー端末がＧＰＳ衛星からの信号に基づいて自己の位置情報を取得できない場合には、前記ＧＰＳ搭載セルラー端末の過去の位置情報を取得して自己の登録位置とする、
請求項６記載の無線基地局。
【請求項８】
前記位置登録部は、前記ＧＰＳ搭載セルラー端末との無線リンクが確立した時刻が前記ＧＰＳ搭載セルラー端末がＧＰＳ信号を受信した時刻から所定時間以内のときは、前記ＧＰＳ搭載セルラー端末の過去の位置情報を取得して自己の登録位置とする、
請求項７記載の無線基地局。
【請求項９】
前記ＩＰネットワーク接続状態検出部は、前記無線基地局に接続している機器のＭＡＣアドレスに基づいてＩＰネットワークの接続状態を検出する、
請求項６乃至請求項８のいずれかに記載の無線基地局。
【請求項１０】
前記ＩＰネットワーク接続状態検出部は、前記無線基地局の電源のＯＮ／ＯＦＦに基づいてＩＰネットワークの接続状態を検出する、
請求項６乃至請求項８のいずれかに記載の無線基地局。
【請求項１１】
位置情報保持部を有し、
前記位置登録部は、前記位置情報保持部に自己の登録位置を記憶する、
請求項６乃至請求項８のいずれかに記載の無線基地局。
【請求項１２】
前記位置登録部は、基地局情報管理サーバに自己の登録位置を記憶させる、
請求項６乃至請求項８のいずれかに記載の無線基地局。
【請求項１３】
ＩＰネットワークを通信インフラとする無線基地局の位置登録を行うための無線基地局の位置登録システムにおけるＧＰＳ搭載セルラー端末であって、
前記無線基地局との間でセルラー無線信号の送受信を行うセルラー送受信部と、ＧＰＳ衛星からの信号に基づいて自己の位置情報を取得するＧＰＳ部と、を有し、
前記セルラー送受信部は、自己の位置情報と関連づけられたＧＰＳ信号を受信した時刻を送信する、
ＧＰＳ搭載セルラー端末。
【請求項１４】
前記ＧＰＳ搭載セルラー端末の前記ＧＰＳ部は、ＧＰＳ衛星からの信号を受信するＧＰＳ受信部と、ＧＰＳ衛星からの信号に基づいて測位演算を行って自己の位置情報を取得する測位演算部とを有する、
請求項１３記載のＧＰＳ搭載セルラー端末。
【請求項１５】
前記ＧＰＳ部は、測位サーバからアシストデータを取得するアシストデータ取得部を有し、前記測位演算部は、測位サーバから取得したアシストデータとＧＰＳ衛星からの信号に基づいて測位演算を行って自己の位置情報を取得する、
請求項１４記載のＧＰＳ搭載セルラー端末。
【請求項１６】
前記ＧＰＳ部は、ＧＰＳ衛星からの信号を受信するＧＰＳ受信部と、測位サーバがＧＰＳ衛星からの信号に基づいて測位演算を行った自己の位置情報を取得する測位演算部とを有する、
請求項１３記載のＧＰＳ搭載セルラー端末。
【請求項１７】
ＩＰネットワークを通信インフラとする無線基地局の位置登録を行うための無線基地局の位置登録システムにおける位置登録方法であって、
前記無線基地局が、ＩＰネットワークの接続状態を検出するステップと、
ＧＰＳ搭載セルラー端末が、ＧＰＳ衛星からの信号に基づいて自己の位置情報を取得するステップと、
前記無線基地局が、ＩＰネットワークの接続状態に基づいて前記ＧＰＳ搭載セルラー端末から前記ＧＰＳ搭載セルラー端末の位置情報を取得するするステップと、
前記無線基地局が、取得した前記位置情報を自己の登録位置とするステップと、を有する、
無線基地局の位置登録方法。
【請求項１８】
ＩＰネットワークを通信インフラとする無線基地局の位置登録方法であって、
ＩＰネットワークの接続状態を検出するステップと、
ＩＰネットワークの接続状態に基づいてＧＰＳ搭載セルラー端末から前記ＧＰＳ搭載セルラー端末の位置情報を取得するするステップと、
取得した前記位置情報を自己の登録位置とするステップと、を有する、
無線基地局の位置登録方法。
【請求項１９】
ＩＰネットワークを通信インフラとする無線基地局の位置登録を行うためのＧＰＳ搭載セルラー端末の位置情報送信方法であって、
ＧＰＳ衛星からの信号に基づいて自己の位置情報を取得するステップと、
自己の位置情報と関連づけられたＧＰＳ信号を受信した時刻を送信するステップと、を有する、
ＧＰＳ搭載セルラー端末の位置情報送信方法。
【発明の詳細な説明】
【技術分野】
【０００１】
本発明は、無線基地局の位置登録を簡単にすることができる無線基地局の位置登録システム、無線基地局及びＧＰＳ搭載セルラー端末並びに位置登録方法及び位置情報送信方法に関する。
【背景技術】
【０００２】
従来のセルラー用無線基地局（以下、従来の無線基地局という）は、専用線などを通じてセルラー事業者ネットワークと接続されている。一方、屋内や地下街などにおける不感地エリア対策として、上記専用線の代わりにＩＰネットワークを通信インフラとして利用する超小型無線基地局（例えば、フェムトセル）が提案されている。このような従来の無線基地局やフェムトセルでは、一般的には、ＧＰＳ受信機や測量による測位結果やおおよその緯度経度による位置情報が、セルラー事業者ネットワーク上のサーバによって無線基地局位置として登録されている。このようにして位置登録が行われた従来の無線基地局等を通じてセルラー網と接続されているセルラー端末は、１１０番や１１９番などとの緊急通話において位置情報を送信するときには、セルラー端末にＧＰＳ等が搭載されていない場合には、上記のようにして登録された従来の無線基地局等の無線基地局位置をセルラー端末のおおよその位置として伝達している。
【０００３】
また、従来の無線基地局等の一般的な位置登録の方法としては、ＧＰＳ受信機や測量等によって無線基地局が配置されている位置を予め測定し、その位置を無線基地局の位置情報として手動でサーバに登録する方法が広く知られている。さらに、ＩＰ電話機の位置登録を行う方法としては、ＩＰ電話機自体のＧＰＳ情報またはＩＰネットワーク以外の携帯電話機（例えば、ＰＨＳなど）の基地局情報によってＩＰ電話機の位置情報を取得し、そのＩＰ電話機の位置登録を行う方法が知られている（例えば、特許文献１参照）。また、ＧＰＳ受信機能付きの移動端末を配下に持つ構内交換機の位置登録を行う方法として、移動端末の緊急呼発信時に構内交換機の位置情報も併せて送信することによって、その構内交換機の位置登録を行う方法が知られている（例えば、特許文献２参照）。
【特許文献１】特開２００４−３６４０１７号公報
【特許文献２】特開２００６−１９１４８０号公報
【発明の開示】
【発明が解決しようとする課題】
【０００４】
しかしながら、ユーザがローカルな無線基地局としてＩＰネットワークを通信インフラとする超小型無線基地局など（例えば、フェムトセル）を自由に設置できるようになると、ユーザがフェムトセルなどを設置するたびに無線基地局位置を登録しなければならなくなる。なぜならば、携帯電話機から１１０番や１１９番へ緊急通報を行う場合には、原則として、発信者の位置を通知する緊急通報位置の通知をする必要があるからである。したがって、このような位置登録を簡単に行えるようにすることが望ましい。
【０００５】
また、ＩＰネットワークを通信インフラとする超小型無線基地局など（例えば、フェムトセル）を屋内や地下街などの不感地エリアなどに設置する場合には、ＧＰＳ受信機を用いても、ＧＰＳ信号の受信が困難な場合もある。したがって、屋内や地下街などのＧＰＳ信号の受信が困難な場合でも位置登録を簡単に行えるようにすることが望ましい。
【０００６】
本発明は、このような事情に鑑みてなされたもので、ＩＰネットワークを通信インフラとする無線基地局の位置登録を簡易に行うことができる無線基地局の位置登録システムを提供することを目的とする。
【課題を解決するための手段】
【０００７】
本発明による無線基地局の位置登録システムは、ＩＰネットワークを通信インフラとする無線基地局の位置登録を行うための無線基地局の位置登録システムであって、前記無線基地局との間でセルラー無線信号の送受信を行うセルラー送受信部と、ＧＰＳ衛星からの信号に基づいて自己の位置情報を取得するＧＰＳ部と、を有するＧＰＳ搭載セルラー端末と、前記ＧＰＳ搭載セルラー端末との間でセルラー無線信号の送受信を行うセルラー送受信部と、ＩＰネットワークの接続状態を検出するＩＰネットワーク接続状態検出部と、ＩＰネットワークの接続状態に基づいて前記ＧＰＳ搭載セルラー端末から前記位置情報を取得して自己の登録位置とする位置登録部と、を有する、前記無線基地局と、を備える構成を採っている。
【０００８】
この構成により、無線基地局の位置登録を簡単にすることができる。
【０００９】
また、本発明による無線基地局の位置登録システムは、前記無線基地局の前記位置登録部が、前記ＧＰＳ搭載セルラー端末がＧＰＳ衛星からの信号に基づいて自己の位置情報を取得できない場合には、前記ＧＰＳ搭載セルラー端末の過去の位置情報を取得して自己の登録位置とする構成を採っている。
【００１０】
この構成により、屋内や地下街などのＧＰＳ信号の受信が困難な場所に設置されている無線基地局でも、簡単に位置登録することができる。
【００１１】
また、本発明による無線基地局の位置登録システムは、前記ＧＰＳ搭載セルラー端末の前記セルラー送受信部が、自己の位置情報と関連づけられたＧＰＳ信号を受信した時刻を送信し、前記無線基地局の前記位置登録部が、前記ＧＰＳ搭載セルラー端末との無線リンクが確立した時刻が前記ＧＰＳ搭載セルラー端末がＧＰＳ信号を受信した時刻から所定時間以内のときは、前記ＧＰＳ搭載セルラー端末の過去の位置情報を取得して自己の登録位置とする構成を採っている。
【００１２】
この構成により、登録位置の誤差を妥当な範囲内に抑えることができる。
【００１３】
また、本発明による無線基地局の位置登録システムは、前記無線基地局の前記ＩＰネットワーク接続状態検出部が、前記無線基地局に接続している機器のＭＡＣアドレスに基づいてＩＰネットワークの接続状態を検出する構成を採っている。
【００１４】
この構成により、接続状態の変化を含むＩＰネットワークの接続状態を簡単に検出することができる。
【００１５】
また、本発明による無線基地局の位置登録システムは、前記無線基地局の前記ＩＰネットワーク接続状態検出部が、前記無線基地局の電源のＯＮ／ＯＦＦに基づいてＩＰネットワークの接続状態を検出する構成を採っている。
【００１６】
この構成により、接続状態の変化を含むＩＰネットワークの接続状態を簡単に検出することができる。また、無駄なＩＰネットワークの接続状態の検出動作を減らすことができる。
【００１７】
また、本発明による無線基地局は、ＩＰネットワークを通信インフラとする無線基地局であって、ＧＰＳ搭載セルラー端末との間でセルラー無線信号の送受信を行うセルラー送受信部と、ＩＰネットワークの接続状態を検出するＩＰネットワーク接続状態検出部と、ＩＰネットワークの接続状態に基づいて前記ＧＰＳ搭載セルラー端末から前記位置情報を取得して自己の登録位置とする位置登録部と、を有する構成を採っている。
【００１８】
この構成により、無線基地局の位置登録を簡単にすることができる。
【００１９】
また、本発明による無線基地局は、前記位置登録部が、前記ＧＰＳ搭載セルラー端末がＧＰＳ衛星からの信号に基づいて自己の位置情報を取得できない場合には、前記ＧＰＳ搭載セルラー端末の過去の位置情報を取得して自己の登録位置とする構成を採っている。
【００２０】
この構成により、屋内や地下街などのＧＰＳ信号の受信が困難な場所に設置されている無線基地局でも、簡単に位置登録することができる。
【００２１】
また、本発明による無線基地局は、前記位置登録部が、前記ＧＰＳ搭載セルラー端末との無線リンクが確立した時刻が前記ＧＰＳ搭載セルラー端末がＧＰＳ信号を受信した時刻から所定時間以内のときは、前記ＧＰＳ搭載セルラー端末の過去の位置情報を取得して自己の登録位置とする構成を採っている。
【００２２】
この構成により、登録位置の誤差を妥当な範囲内に抑えることができる。
【００２３】
また、本発明による無線基地局は、前記ＩＰネットワーク接続状態検出部が、前記無線基地局に接続している機器のＭＡＣアドレスに基づいてＩＰネットワークの接続状態を検出する構成を採っている。
【００２４】
この構成により、接続状態の変化を含むＩＰネットワークの接続状態を簡単に検出することができる。
【００２５】
また、本発明による無線基地局は、前記ＩＰネットワーク接続状態検出部が、前記無線基地局の電源のＯＮ／ＯＦＦに基づいてＩＰネットワークの接続状態を検出する構成を採っている。
【００２６】
この構成により、接続状態の変化を含むＩＰネットワークの接続状態を簡単に検出することができる。また、無駄なＩＰネットワークの接続状態の検出動作を減らすことができる。
【００２７】
また、本発明によるＧＰＳ搭載セルラー端末は、ＩＰネットワークを通信インフラとする無線基地局の位置登録を行うための無線基地局の位置登録システムにおけるＧＰＳ搭載セルラー端末であって、前記無線基地局との間でセルラー無線信号の送受信を行うセルラー送受信部と、ＧＰＳ衛星からの信号に基づいて自己の位置情報を取得するＧＰＳ部と、を有し、前記セルラー送受信部は、自己の位置情報と関連づけられたＧＰＳ信号を受信した時刻を送信する構成を採っている。
【００２８】
この構成により、登録位置の誤差を妥当な範囲内に抑えることができる。
【００２９】
また、本発明による無線基地局の位置登録システムにおける位置登録方法は、ＩＰネットワークを通信インフラとする無線基地局の位置登録を行うための無線基地局の位置登録システムにおける位置登録方法であって、前記無線基地局が、ＩＰネットワークの接続状態を検出するステップと、ＧＰＳ搭載セルラー端末が、ＧＰＳ衛星からの信号に基づいて自己の位置情報を取得するステップと、前記無線基地局が、ＩＰネットワークの接続状態に基づいて前記ＧＰＳ搭載セルラー端末から前記ＧＰＳ搭載セルラー端末の位置情報を取得するするステップと、前記無線基地局が、取得した前記位置情報を自己の登録位置とするステップと、を有する、構成を採っている。
【００３０】
この構成により、無線基地局の位置登録を簡単にすることができる。
【００３１】
また、本発明による無線基地局の位置登録方法は、ＩＰネットワークを通信インフラとする無線基地局の位置登録方法であって、ＩＰネットワークの接続状態を検出するステップと、ＩＰネットワークの接続状態に基づいてＧＰＳ搭載セルラー端末から前記ＧＰＳ搭載セルラー端末の位置情報を取得するするステップと、取得した前記位置情報を自己の登録位置とするステップと、を有する構成を採っている。
【００３２】
この構成により、無線基地局の位置登録を簡単にすることができる。
【００３３】
また、本発明によるＧＰＳ搭載セルラー端末の位置情報送信方法は、ＩＰネットワークを通信インフラとする無線基地局の位置登録を行うためのＧＰＳ搭載セルラー端末の位置情報送信方法であって、ＧＰＳ衛星からの信号に基づいて自己の位置情報を取得するステップと、自己の位置情報と関連づけられたＧＰＳ信号を受信した時刻を送信するステップと、を有する構成を採っている。
【００３４】
この構成により、登録位置の誤差を妥当な範囲内に抑えることができる。
【発明の効果】
【００３５】
本発明による無線基地局の位置登録システムによれば、無線基地局の位置登録を簡単にすることができる。
【発明を実施するための最良の形態】
【００３６】
以下、図面を参照しながら、本発明における無線基地局の位置登録システムの具体的な実施の形態について詳細に説明する。
【００３７】
（実施の形態１）
はじめに、本発明の実施の形態１の無線基地局の位置登録システムを含むシステムの全体構成について説明する。図１は、本発明の実施の形態１の無線基地局の位置登録システムを含むシステムの全体構成図である。本実施の形態１の無線基地局の位置登録システムは、少なくとも無線基地局１とＧＰＳ搭載セルラー端末２を備える。
【００３８】
無線基地局１は、ＩＰネットワークを通信インフラとする。ＩＰネットワークは、外部のＩＰネットワーク３、ローカルなＩＰネットワーク８などから構成される。外部のＩＰネットワーク３は、さらに、セルラーネットワーク４に接続されている。
【００３９】
セルラーネットワーク４は、従来からの携帯電話における通信インフラと同様である。セルラーネットワーク４内には、測位サーバ６、基地局情報管理サーバ７、従来の無線基地局１３などの装置が配置されている。外部のＩＰネットワーク３とセルラーネットワーク４の間には、ゲートウェイ装置５が配置されている。
【００４０】
無線基地局１と外部のＩＰネットワーク３の間には、ルータ９が配置される。ルータ９は、ネットワーク層によってパケットを転送する装置である。具体的には、ネットワーク層を用いて、無線基地局１からのパケットデータをゲートウェイ装置５を介してセルラーネットワーク４内の装置まで届ける。また、ルータ９は、ネットワーク層を用いて、セルラーネットワーク４内の装置からゲートウェイ装置５を介して届けられるパケットデータを受け取って無線基地局１まで届ける。
【００４１】
無線基地局１とルータ９の間には、ブリッジ１１（ブリッジ１１ａ、ブリッジ１１ｂなど）を配置する場合もある。ブリッジ１１は、ネットワークをデータリンク層で延長する装置である。また、無線基地局１の接続されるローカルなＩＰネットワーク８内にＤＨＣＰサーバ１０を配置する場合もある。ＤＨＣＰサーバ１０は、ＤＨＣＰ（Dynamic Host Configuration Protocol）サービスを行うサーバである。ＤＨＣＰサーバ１０を設置すれば、外部のＩＰネットワーク３を通信インフラとする無線基地局１をローカルなＩＰネットワーク８に接続しただけでＴＣＰ／ＩＰによる通信ができるようになる。すなわち、ＤＨＣＰによって、物理的に無線基地局１をローカルなＩＰネットワーク８に接続しただけで、特別な設定をしなくても無線基地局１が利用可能になる（プラグ＆プレイが実現される）。ここで、ＤＨＣＰのしくみは、従来からのＤＨＣＰと同様であるので、詳細は割愛する。なお、例えば、無線基地局１を個人が自宅で使用する場合には、ＤＨＣＰサーバ１０やブリッジ１１は設置せずに、無線基地局１をルータ９に直接接続することもできる。
【００４２】
無線基地局１は、ＩＰネットワークの接続状態に基づいて、ＧＰＳ搭載セルラー端末２から位置情報を取得して無線基地局１の登録位置とする。ＧＰＳ搭載セルラー端末２は、ＧＰＳ衛星１２（ＧＰＳ衛星１２ａ、ＧＰＳ衛星１２ｂ、ＧＰＳ衛星１２ｃなど）からのＧＰＳ信号を受信して、これに基づいて、ＧＰＳ搭載セルラー端末２の位置情報を取得する。そして、ＧＰＳ搭載セルラー端末２は、ＧＰＳ搭載セルラー端末２の位置情報をセルラー無線信号を用いて無線基地局１に送信する。
【００４３】
無線基地局１は、例えば、物理的に無線基地局１をローカルなＩＰネットワーク８に接続した場合には、ＤＨＣＰサーバ１０からＤＨＣＰ提供パケットやＤＨＣＰ確認応答パケットのようなパケットを受け取ることによって、ＤＨＣＰによるネットワーク設定が完了し、ＴＣＰ／ＩＰによる通信ができるようになる。このときのＤＨＣＰ提供パケットやＤＨＣＰ確認応答パケットのようなパケットには、ヘッダに無線基地局１と接続している装置（機器）のＭＡＣ（Media Access Control）アドレスの情報が含まれている。具体的には、無線基地局１がブリッジ１１を介してＤＨＣＰサーバ１０と接続している場合には、ヘッダにブリッジ１１のＭＡＣアドレスの情報が含まれている。無線基地局１がブリッジ１１を介さずにＤＨＣＰサーバ１０と直接接続している場合には、ヘッダにＤＨＣＰサーバ１０のＭＡＣアドレスの情報が含まれている。なお、ＤＨＣＰサーバ１０やブリッジ１１は設置せずに、無線基地局１をルータ９に直接接続した場合には、無線基地局１が受け取るパケットのヘッダには、ルータ９のＭＡＣアドレスの情報が含まれている。いずれにしても、無線基地局１は、無線基地局１に接続している装置（機器）のＭＡＣアドレスを受け取ることになる。そして、無線基地局１は受け取ったパケットのヘッダに含まれるＭＡＣアドレスに基づいてＩＰネットワークの接続状態を検出することができる。
【００４４】
そして、無線基地局１は、検出したＩＰネットワークの接続状態に基づいて、ＧＰＳ搭載セルラー端末２から位置情報を取得して無線基地局１の登録位置とする。例えば、無線基地局１をブリッジＡ１１ａに接続した状態からブリッジＢ１１ｂに接続した状態に変更した場合には、無線基地局１の受け取るパケットのヘッダに含まれるＭＡＣアドレスが変化するので、このＭＡＣアドレスの変化を検出することによって、ＩＰネットワークの接続状態の変化を検出することができる。そして、無線基地局１がＩＰネットワークの接続状態の変化を検出した場合に、ＧＰＳ搭載セルラー端末２から位置情報を取得して無線基地局１の登録位置とすることができる。このような無線基地局の位置登録システムによれば、無線基地局１の位置登録を簡単にすることができる。
【００４５】
なお、無線基地局１は受け取ったパケットのヘッダに含まれるＭＡＣアドレスに基づいてＩＰネットワークの接続状態を検出することに代えて、受け取ったパケットのヘッダに含まれるＩＰアドレスに基づいてＩＰネットワークの接続状態を検出することも可能である。例えば、無線基地局１の接続先が、あるローカルなＩＰネットワーク８ａから他のローカルなＩＰネットワーク８ｂに変更された場合には、受け取ったパケットのヘッダに含まれるＩＰアドレスは変化する。したがって、無線基地局１は、このＩＰアドレスの変化を検出することによって、ＩＰネットワークの接続状態の変化を検出することができる。また、無線基地局１は、受け取ったパケットのヘッダに含まれるＭＡＣアドレスとＩＰアドレス（例えば、これらの変化）に基づいてＩＰネットワークの接続状態を検出することも可能である。
【００４６】
ここで、ブリッジ１１のような装置は、ＭＡＣアドレスを持っているが、ＩＰアドレスは付与されていないことから、ＩＰアドレスに基づいてＩＰネットワークの接続状態を検出する方法と比較して、ＭＡＣアドレスに基づいてＩＰネットワークの接続状態を検出する方法の方がより細かい変化を検出できると考えられる。また、ＭＡＣアドレスは装置（機器）に固有なもので、基本的に変化しないのに対して、ＩＰアドレスは、例えば定期的に変化しうることを考えると、ＩＰアドレスに基づいてＩＰネットワークの接続状態を検出する方法と比較して、ＭＡＣアドレスに基づいてＩＰネットワークの接続状態を検出する方法の方がより正確にＩＰネットワークの接続状態（変化など）を検出できると考えられる。
【００４７】
また、無線基地局１は、無線基地局１の電源のＯＮ／ＯＦＦに基づいてＩＰネットワークの接続状態を検出するようにすることもできる。このようにすれば、簡単に接続状態を検出することができる。また、無線基地局１の物理的な位置を変更させる場合には、一旦、無線基地局１の電源をＯＦＦにし、接続先変更後に電源をＯＮにする場合が多いと考えられるから、無駄なＩＰネットワークの接続状態の検出動作を減らすことができる。
【００４８】
そして、このようにして位置登録が行われた無線基地局１を通じて、図示しないセルラー端末が１１０番や１１９番などの緊急通話する場合において、位置情報を送信するときには、セルラー端末にＧＰＳ等が搭載されていないときでも、登録された無線基地局１の登録位置をセルラー端末のおおよその位置として伝達することができる。
【００４９】
なお、具体的な位置登録の方法としては、基地局情報管理サーバ７に無線基地局１の登録位置を記憶させておくこともできるし、無線基地局１に無線基地局１の登録位置を記憶させておくこともできる。
【００５０】
また、ＧＰＳ搭載セルラー端末２の位置情報を取得する際に、測位演算は、測位サーバ６で行うこともできるし、ＧＰＳ搭載セルラー端末２で行うこともできる。また、ＧＰＳ搭載セルラー端末２は、ＧＰＳ搭載セルラー端末２で測位演算する場合などに、測位サーバ６からアシストデータを取得することもできる。そして、ＧＰＳ搭載セルラー端末２は、測位サーバ６から取得したアシストデータとＧＰＳ衛星１２からの信号に基づいて測位演算を行ってＧＰＳ搭載セルラー端末２の位置情報を取得することができる。ここで、アシストデータは、ＧＰＳ衛星の軌道情報等の情報（アシスト情報）を含むデータである。
【００５１】
次に、本発明の実施の形態１の無線基地局の位置登録システムの無線基地局１とＧＰＳ搭載セルラー端末２の構成について説明する。図２は、本発明の実施の形態１の無線基地局の位置登録システムの無線基地局１とＧＰＳ搭載セルラー端末２の構成を説明するブロック図である。
【００５２】
無線基地局１は、ＧＰＳ搭載セルラー端末２との間でセルラー無線信号の送受信を行うセルラー送受信部１０１と、ＩＰネットワークの接続状態を検出するＩＰネットワーク接続状態検出部１０２と、ＩＰネットワークの接続状態に基づいて前記ＧＰＳ搭載セルラー端末から前記位置情報を取得して無線基地局１の登録位置とする位置登録部１０３を有する。また、無線基地局１は、ＩＰネットワークの他の装置（機器）へパケットを送信したり、ＩＰネットワークの他の装置（機器）からのパケットを受信したりするＩＰネットワークインターフェース１０４と、セルラー無線通信とＩＰネットワークにおけるＴＣＰ／ＩＰによる通信の通信方式の違いに対応し、両者間を跨ぐ通信を行うための通信プロトコル変換をするプロトコル変換部１０５を有する。このため、プロトコル変換部１０５は、セルラー送受信部１０１とＩＰネットワークインターフェース１０４の間に配置される。さらに、無線基地局１のセルＩＤ情報を保持するセルＩＤ情報保持部１０６と、特定のＧＰＳ搭載セルラー端末２との間で認証を行ってから位置情報を取得するための端末認証情報を保持する端末認証情報保持部１０７を有する。さらに、無線基地局１は、無線基地局１の登録位置を記憶する位置情報保持部１０８を有するようにすることもできる。
【００５３】
セルラー送受信部１０１は、前述のように、ＧＰＳ搭載セルラー端末２との間でセルラー無線信号の送受信を行う。例えば、セルラー送受信部１０１は、ＧＰＳ搭載セルラー端末２が取得したＧＰＳ搭載セルラー端末２の位置情報を受信する。このとき、セルラー送受信部１０１は、ＧＰＳ搭載セルラー端末２の位置情報と関連づけられた「ＧＰＳ搭載セルラー端末２がＧＰＳ信号を受信した時刻」を受信するようにすることもできる。
【００５４】
ＩＰネットワーク接続状態検出部１０２は、前述のように、ＩＰネットワークの接続状態を検出する。このとき、ＩＰネットワーク接続状態検出部１０２は、無線基地局１に接続している機器のＭＡＣアドレスに基づいてＩＰネットワークの接続状態を検出するようにすることもできる。また、ＩＰネットワーク接続状態検出部１０２は、無線基地局１に接続している機器のＭＡＣアドレスに代えて、無線基地局１に接続している機器のＩＰアドレスに基づいてＩＰネットワークの接続状態を検出するようにすることもできる。また、ＩＰネットワーク接続状態検出部１０２は、無線基地局１に接続している機器のＭＡＣアドレスとＩＰアドレスに基づいてＩＰネットワークの接続状態を検出するようにすることもできる。また、ＩＰネットワーク接続状態検出部１０２は、無線基地局１の電源のＯＮ／ＯＦＦに基づいてＩＰネットワークの接続状態を検出するようにすることもできる。ＩＰネットワークの接続状態をＭＡＣアドレス又はＩＰアドレスに基づいて検出することで簡単に接続状態（変化など）を検出することができる。また、ＭＡＣアドレスに基づいて検出することで、ＩＰアドレスに基づいて検出する場合と比較して、より細かい変化を検出でき、また、より正確にＩＰネットワークの接続状態（変化など）を検出できる。
【００５５】
位置登録部１０３は、前述のように、ＩＰネットワークの接続状態に基づいて前記ＧＰＳ搭載セルラー端末２から位置情報を取得して無線基地局１の登録位置とする。このとき、位置登録部１０３は、ＧＰＳ搭載セルラー端末２がＧＰＳ衛星からの信号に基づいて自己の位置情報を取得できない場合には、ＧＰＳ搭載セルラー端末２の過去の位置情報を取得して無線基地局１の登録位置とすることもできる。このようにすることで、屋内や地下街などのＧＰＳ信号を受信できない場所でも簡単に位置登録できる。このとき、位置登録部１０３は、ＧＰＳ搭載セルラー端末２との無線リンクが確立した時刻がＧＰＳ搭載セルラー端末２がＧＰＳ信号を受信した時刻から所定時間以内のときは、ＧＰＳ搭載セルラー端末２の過去の位置情報を取得して無線基地局１の登録位置とすることもできる。このようにすることで、登録位置の誤差を妥当な範囲内に抑えることができる。なお、位置登録部１０３が無線基地局１の位置登録を行う方法としては、位置情報保持部１０８に無線基地局１の登録位置を記憶するようにすることもできるし、基地局情報管理サーバ７に無線基地局１の登録位置を記憶させるようにすることもできる。
【００５６】
ＧＰＳ搭載セルラー端末２は、無線基地局１との間でセルラー無線信号の送受信を行うセルラー送受信部２０１と、ＧＰＳ衛星１２からの信号に基づいてＧＰＳ搭載セルラー端末２の位置情報を取得するＧＰＳ部２０２を有する。また、ＧＰＳ搭載セルラー端末２は、受話口や送話口などの通話部２０３と、液晶ディスプレイ表示部や有機ＥＬディスプレイなどの表示部２０４と、ダイヤルボタンやコマンドナビゲーションボタンなどの操作入力部２０５を有する。また、ＧＰＳ搭載セルラー端末２は、セルラー送受信部２０１で受信したセルラー無線信号に基づいて通話部２０３や表示部２０４を制御したり、操作入力部２０５からの入力や通話部２０３からの音声入力に基づいて種々の情報処理をしたりする端末制御部２０６を有する。さらに、ＧＰＳ搭載セルラー端末２は、位置登録を行う無線基地局１との間で認証を行ってから無線基地局１に位置情報を送信するための端末認証情報を保持する端末認証情報保持部２０７を有する。
【００５７】
セルラー送受信部２０１は、前述のように、無線基地局１との間でセルラー無線信号の送受信を行う。例えば、ＧＰＳ部２０２が取得したＧＰＳ搭載セルラー端末２の位置情報を無線基地局１に送信する。このとき、セルラー送受信部２０１は、セルラー送受信部２０１の位置情報と関連づけられた「ＧＰＳ信号を受信した時刻」を送信するようにすることもできる。
【００５８】
ＧＰＳ部２０２は、前述のように、ＧＰＳ衛星１２からの信号に基づいてＧＰＳ搭載セルラー端末２の位置情報を取得する。ＧＰＳ部２０２は、ＧＰＳ衛星１２からのＧＰＳ信号を受信するＧＰＳ受信部２０２１と、ＧＰＳ衛星１２からのＧＰＳ信号に基づいて測位演算を行ってＧＰＳ搭載セルラー端末２の位置情報を取得する測位演算部２０２２とを有するような構成にすることができる。このとき、ＧＰＳ部２０２は、測位サーバからアシストデータを取得するアシストデータ取得部２０２３を有するようにし、測位演算部２０２２は測位サーバ６から取得したアシストデータとＧＰＳ衛星１２からのＧＰＳ信号に基づいて測位演算を行ってＧＰＳ搭載セルラー端末２の位置情報を取得するようにすることができる。
【００５９】
なお、ＧＰＳ部２０２は、上記構成に代えて、ＧＰＳ衛星１２からのＧＰＳ信号を受信するＧＰＳ受信部２０２１と、測位サーバ６がＧＰＳ衛星１２からのＧＰＳ信号に基づいて測位演算を行ったＧＰＳ搭載セルラー端末２の位置情報を取得する測位演算部２０２２とを有するようにしてもよい。
【００６０】
さらに、ＧＰＳ部２０２は、上記いづれかの方法により取得したＧＰＳ搭載セルラー端末２の位置情報を、ＧＰＳ信号を受信した時刻とともに保持する位置情報保持部２０２４を有するようにすることもできる。なお、このとき、位置情報保持部２０２４は、ＧＰＳ部２０２の内部の構成である例を説明したが、位置情報保持部２０２４は、必ずしもＧＰＳ部２０２の内部である必要はなく、ＧＰＳ搭載セルラー端末２の内部にあればよい。
【００６１】
次に、本発明の実施の形態１の無線基地局の位置登録システムの位置登録の動作について説明する。まず、ＧＰＳ搭載セルラー端末２がＧＰＳ衛星１２からの信号（ＧＰＳ信号）に基づいてＧＰＳ搭載セルラー端末２の位置情報を取得できる場合の位置登録の動作について説明する。図３は、本発明の実施の形態１の無線基地局の位置登録システムのＧＰＳ搭載セルラー端末２がＧＰＳ衛星１２からの信号（ＧＰＳ信号）に基づいてＧＰＳ搭載セルラー端末２の位置情報を取得できる場合の位置登録動作を説明するシーケンス図である。
【００６２】
まず、無線基地局１は、ＩＰネットワークの接続状態に基づいて、位置登録を開始する。例えば、無線基地局１は、ＩＰネットワークの接続状態が変化したことを検出すると位置登録を開始する（ステップＳ３００）。
【００６３】
次に、無線基地局１は、位置登録を開始すると、ＧＰＳ搭載セルラー端末２に、位置情報取得要求を送信する。そして、ＧＰＳ搭載セルラー端末２は、無線基地局１からの、位置情報取得要求を受信する（ステップＳ３０１）。
【００６４】
次に、ＧＰＳ搭載セルラー端末２は、位置情報取得要求に基づいて、測位サーバ６に、アシストデータを要求する信号を送信する。そして、測位サーバ６は、ＧＰＳ搭載セルラー端末２からのアシストデータを要求する信号を受信する（ステップＳ３０２）。
【００６５】
次に、測位サーバ６は、アシストデータを要求する信号に基づいて、ＧＰＳ搭載セルラー端末２に、アシストデータを送信する。そして、ＧＰＳ搭載セルラー端末２は、測位サーバ６からのアシストデータを受信する（ステップＳ３０３）。ここで、アシストデータは、ＧＰＳ衛星の軌道情報等の情報（アシスト情報）を含むデータである。
【００６６】
次に、ＧＰＳ搭載セルラー端末２は、アシストデータを利用して、ＧＰＳ衛星１２からのＧＰＳ信号を受信する（ステップＳ３０４）。
【００６７】
次に、ＧＰＳ搭載セルラー端末２は、受信したＧＰＳ信号とアシストデータに基づいて測位演算を行って、ＧＰＳ搭載セルラー端末２の位置情報を取得する（ステップＳ３０５）。
【００６８】
次に、ＧＰＳ搭載セルラー端末２は、ＧＰＳ搭載セルラー端末２の位置情報を、無線基地局１に送信する。そして、無線基地局１は、ＧＰＳ搭載セルラー端末２の位置情報を受信する（ステップＳ３０６）。
【００６９】
次に、無線基地局１は、受信したＧＰＳ搭載セルラー端末２の位置情報を無線基地局１の登録位置として位置登録する。具体的には、無線基地局１は、無線基地局１の登録位置を、無線基地局１の位置情報保持部１０８に記憶する（ステップＳ３０７）。そして、位置登録を完了する（ステップＳ３０８）。
【００７０】
なお、位置登録の方法としては、無線基地局１が、無線基地局１の登録位置とセルＩＤ情報を、基地局情報管理サーバ７に送信し、これを基地局情報管理サーバ７が受信し（ステップＳ３０９）、次に、基地局情報管理サーバ７が無線基地局１の登録位置とセルＩＤ情報を記憶し（ステップＳ３１０）、位置登録を完了する方法も考えられる（ステップＳ３１１）。
【００７１】
なお、図３で説明した動作の変形例として、ＧＰＳ搭載セルラー端末２では測位演算を行わず、測位サーバ６で測位演算する方法も考えられる。具体的には、図４に示すように、ＧＰＳ搭載セルラー端末２が、衛星補足情報（ＧＰＳ信号など）を測位サーバ６に送信し、これを、測位サーバ６が受信し（ステップＳ４０１）、測位サーバ６で測位演算を行って位置情報を取得し（ステップＳ４０２）、測位サーバ６が、取得した位置情報を、ＧＰＳ搭載セルラー端末２に、送信し、これを、ＧＰＳ搭載セルラー端末２が受信する（ステップＳ４０３）動作も考えられる。この場合でも、図４のステップのうち、図３と同じ符号を付したステップは図３と同様なので、説明を省略する。
【００７２】
次に、ＧＰＳ搭載セルラー端末２がＧＰＳ衛星１２からの信号（ＧＰＳ信号）に基づいてＧＰＳ搭載セルラー端末２の位置情報を取得できない場合の位置登録の動作について説明する。図５は、本発明の実施の形態１の無線基地局の位置登録システムのＧＰＳ搭載セルラー端末２がＧＰＳ衛星１２からの信号（ＧＰＳ信号）に基づいてＧＰＳ搭載セルラー端末２の位置情報を取得できない場合の位置登録動作を説明するシーケンス図である。
【００７３】
まず、無線基地局１は、ＩＰネットワークの接続状態に基づいて、位置登録を開始する。例えば、無線基地局１は、ＩＰネットワークの接続状態が変化したことを検出すると位置登録を開始する（ステップＳ５００）。この後、無線基地局１は、所定のＧＰＳ搭載セルラー端末２との無線リンクが確立するまでは、ＧＰＳ搭載セルラー端末２に、位置情報取得要求を送信しない（ステップＳ５０７、Ｓ５０８参照）。
【００７４】
一方、ＧＰＳ搭載セルラー端末２は、従来の無線基地局１３との無線リンクが確立すると（ステップＳ５０１）、測位サーバ６に、アシストデータを要求する信号を送信する。そして、測位サーバ６は、ＧＰＳ搭載セルラー端末２からのアシストデータを要求する信号を受信する（ステップＳ５０２）。
【００７５】
次に、測位サーバ６は、アシストデータを要求する信号に基づいて、ＧＰＳ搭載セルラー端末２に、アシストデータを送信する。そして、ＧＰＳ搭載セルラー端末２は、測位サーバ６からのアシストデータを受信する（ステップＳ５０３）。ここで、アシストデータは、ＧＰＳ衛星の軌道情報等の情報（アシスト情報）を含むデータである。
【００７６】
次に、ＧＰＳ搭載セルラー端末２は、アシストデータを利用して、ＧＰＳ衛星１２からのＧＰＳ信号を受信する（ステップＳ５０４）。このとき、ＧＰＳ搭載セルラー端末２は、ＧＰＳ信号を受信した時刻を記憶しておく。
【００７７】
次に、ＧＰＳ搭載セルラー端末２は、受信したＧＰＳ信号とアシストデータに基づいて測位演算を行って、ＧＰＳ搭載セルラー端末２の位置情報を取得する（ステップＳ５０５）。そして、位置情報と、ＧＰＳ信号を受信した時刻とを関連付けて保存する（ステップＳ５０６）。
【００７８】
その後、所定のＧＰＳ搭載セルラー端末２と無線基地局１との無線リンクが確立すると（ステップＳ５０７）、ＧＰＳ搭載セルラー端末２は、ＧＰＳ搭載セルラー端末２と無線基地局１との無線リンクが確立した時刻を記憶する。
【００７９】
また、所定のＧＰＳ搭載セルラー端末２と無線基地局１との無線リンクが確立すると（ステップＳ５０７）、ＧＰＳ搭載セルラー端末２は、無線基地局１は、位置情報取得要求を送信する。そして、無線基地局１は、位置情報取得要求を受信する。（ステップＳ５０８）。
【００８０】
次に、ＧＰＳ搭載セルラー端末２は、受信した位置情報取得要求に基づいて、ＧＰＳ搭載セルラー端末２の位置情報とＧＰＳ信号を受信した時刻を、無線基地局１に送信する。そして、無線基地局１は、ＧＰＳ搭載セルラー端末２の位置情報とＧＰＳ信号を受信した時刻を受信する（ステップＳ５０９）。
【００８１】
次に、無線基地局１は、ＧＰＳ信号を受信した時刻とＧＰＳ搭載セルラー端末２と無線基地局１との無線リンクが確立した時刻とを比較して、ＧＰＳ信号を受信した時刻から所定時間以内に、ＧＰＳ搭載セルラー端末２と無線基地局１との無線リンクが確立したか否かを判定する（ステップＳ５１０）。そして、所定時間以内でない場合には（ステップＳ５１０、ＮＯ）、再度所定のＧＰＳ搭載セルラー端末２との無線リンクが確立するまでは、ＧＰＳ搭載セルラー端末２に、位置情報取得要求を送信しない（ステップＳ５０７、Ｓ５０８参照）。一方、所定時間以内の場合には（ステップＳ５１０、ＹＥＳ）、無線基地局１は、受信したＧＰＳ搭載セルラー端末２の位置情報を無線基地局１の登録位置として位置登録する。具体的には、無線基地局１は、無線基地局１の登録位置を、無線基地局１の位置情報保持部１０８に記憶する（ステップＳ５１１）。そして、位置登録を完了する（ステップＳ５１２）。
【００８２】
なお、位置登録の方法としては、無線基地局１が、無線基地局１の登録位置とセルＩＤ情報を、基地局情報管理サーバ７に送信し、これを基地局情報管理サーバ７が受信し（ステップＳ５１３）、次に、基地局情報管理サーバ７が無線基地局１の登録位置とセルＩＤ情報を記憶し（ステップＳ５１４）、位置登録を完了する方法も考えられる（ステップＳ５１５）。
【００８３】
なお、図５で説明した動作の変形例として、ＧＰＳ搭載セルラー端末２では測位演算を行わず、測位サーバ６で測位演算する方法も考えられる。具体的には、図６に示すように、ＧＰＳ搭載セルラー端末２が、衛星補足情報（ＧＰＳ信号など）を測位サーバ６に送信し、これを、測位サーバ６が受信し（ステップＳ６０１）、測位サーバ６で測位演算を行って位置情報を取得し（ステップＳ６０２）、測位サーバ６が、取得した位置情報を、ＧＰＳ搭載セルラー端末２に送信し、これを、ＧＰＳ搭載セルラー端末２が受信する（ステップＳ６０３）動作も考えられる。この場合でも、図６のステップのうち、図５と同じ符号を付したステップは図５と同様なので、説明を省略する。
【００８４】
以上説明したように、本実施の形態１による無線基地局の位置登録システムは、ＩＰネットワークを通信インフラとする無線基地局の位置登録を行うための無線基地局の位置登録システムであって、前記無線基地局との間でセルラー無線信号の送受信を行うセルラー送受信部と、ＧＰＳ衛星からの信号に基づいて自己の位置情報を取得するＧＰＳ部と、を有するＧＰＳ搭載セルラー端末と、前記ＧＰＳ搭載セルラー端末との間でセルラー無線信号の送受信を行うセルラー送受信部と、ＩＰネットワークの接続状態を検出するＩＰネットワーク接続状態検出部と、ＩＰネットワークの接続状態に基づいて前記ＧＰＳ搭載セルラー端末から前記位置情報を取得して自己の登録位置とする位置登録部と、を有する、前記無線基地局と、を備える構成を採っている。
【００８５】
この構成により、無線基地局の位置登録を簡単にすることができる。
【００８６】
また、本実施の形態１による無線基地局の位置登録システムは、前記無線基地局の前記位置登録部が、前記ＧＰＳ搭載セルラー端末がＧＰＳ衛星からの信号に基づいて自己の位置情報を取得できない場合には、前記ＧＰＳ搭載セルラー端末の過去の位置情報を取得して自己の登録位置とする構成を採っている。
【００８７】
この構成により、屋内や地下街などのＧＰＳ信号の受信が困難な場所に設置されている無線基地局でも、簡単に位置登録することができる。
【００８８】
また、本実施の形態１による無線基地局の位置登録システムは、前記ＧＰＳ搭載セルラー端末の前記セルラー送受信部が、自己の位置情報と関連づけられたＧＰＳ信号を受信した時刻を送信し、前記無線基地局の前記位置登録部が、前記ＧＰＳ搭載セルラー端末との無線リンクが確立した時刻が前記ＧＰＳ搭載セルラー端末がＧＰＳ信号を受信した時刻から所定時間以内のときは、前記ＧＰＳ搭載セルラー端末の過去の位置情報を取得して自己の登録位置とする構成を採っている。
【００８９】
この構成により、登録位置の誤差を妥当な範囲内に抑えることができる。
【００９０】
また、本実施の形態１による無線基地局の位置登録システムは、前記無線基地局の前記ＩＰネットワーク接続状態検出部が、前記無線基地局に接続している機器のＭＡＣアドレスに基づいてＩＰネットワークの接続状態を検出する構成を採っている。
【００９１】
この構成により、接続状態の変化を含むＩＰネットワークの接続状態を簡単に検出することができる。
【００９２】
また、本実施の形態１による無線基地局の位置登録システムは、前記無線基地局の前記ＩＰネットワーク接続状態検出部が、前記無線基地局の電源のＯＮ／ＯＦＦに基づいてＩＰネットワークの接続状態を検出する構成を採っている。
【００９３】
この構成により、接続状態の変化を含むＩＰネットワークの接続状態を簡単に検出することができる。また、無駄なＩＰネットワークの接続状態の検出動作を減らすことができる。
【００９４】
また、本実施の形態１による無線基地局は、ＩＰネットワークを通信インフラとする無線基地局であって、ＧＰＳ搭載セルラー端末との間でセルラー無線信号の送受信を行うセルラー送受信部と、ＩＰネットワークの接続状態を検出するＩＰネットワーク接続状態検出部と、ＩＰネットワークの接続状態に基づいて前記ＧＰＳ搭載セルラー端末から前記位置情報を取得して自己の登録位置とする位置登録部と、を有する構成を採っている。
【００９５】
この構成により、無線基地局の位置登録を簡単にすることができる。
【００９６】
また、本実施の形態１による無線基地局は、前記位置登録部が、前記ＧＰＳ搭載セルラー端末がＧＰＳ衛星からの信号に基づいて自己の位置情報を取得できない場合には、前記ＧＰＳ搭載セルラー端末の過去の位置情報を取得して自己の登録位置とする構成を採っている。
【００９７】
この構成により、屋内や地下街などのＧＰＳ信号の受信が困難な場所に設置されている無線基地局でも、簡単に位置登録することができる。
【００９８】
また、本実施の形態１による無線基地局は、前記位置登録部が、前記ＧＰＳ搭載セルラー端末との無線リンクが確立した時刻が前記ＧＰＳ搭載セルラー端末がＧＰＳ信号を受信した時刻から所定時間以内のときは、前記ＧＰＳ搭載セルラー端末の過去の位置情報を取得して自己の登録位置とする構成を採っている。
【００９９】
この構成により、登録位置の誤差を妥当な範囲内に抑えることができる。
【０１００】
また、本実施の形態１による無線基地局は、前記ＩＰネットワーク接続状態検出部が、前記無線基地局に接続している機器のＭＡＣアドレスに基づいてＩＰネットワークの接続状態を検出する構成を採っている。
【０１０１】
この構成により、接続状態の変化を含むＩＰネットワークの接続状態を簡単に検出することができる。
【０１０２】
また、本実施の形態１による無線基地局は、前記ＩＰネットワーク接続状態検出部が、前記無線基地局の電源のＯＮ／ＯＦＦに基づいてＩＰネットワークの接続状態を検出する構成を採っている。
【０１０３】
この構成により、接続状態の変化を含むＩＰネットワークの接続状態を簡単に検出することができる。また、無駄なＩＰネットワークの接続状態の検出動作を減らすことができる。
【０１０４】
また、本実施の形態１によるＧＰＳ搭載セルラー端末は、ＩＰネットワークを通信インフラとする無線基地局の位置登録を行うための無線基地局の位置登録システムにおけるＧＰＳ搭載セルラー端末であって、前記無線基地局との間でセルラー無線信号の送受信を行うセルラー送受信部と、ＧＰＳ衛星からの信号に基づいて自己の位置情報を取得するＧＰＳ部と、を有し、前記セルラー送受信部は、自己の位置情報と関連づけられたＧＰＳ信号を受信した時刻を送信する構成を採っている。
【０１０５】
この構成により、登録位置の誤差を妥当な範囲内に抑えることができる。
【０１０６】
また、本実施の形態１による無線基地局の位置登録システムにおける位置登録方法は、ＩＰネットワークを通信インフラとする無線基地局の位置登録を行うための無線基地局の位置登録システムにおける位置登録方法であって、前記無線基地局が、ＩＰネットワークの接続状態を検出するステップと、ＧＰＳ搭載セルラー端末が、ＧＰＳ衛星からの信号に基づいて自己の位置情報を取得するステップと、前記無線基地局が、ＩＰネットワークの接続状態に基づいて前記ＧＰＳ搭載セルラー端末から前記ＧＰＳ搭載セルラー端末の位置情報を取得するするステップと、前記無線基地局が、取得した前記位置情報を自己の登録位置とするステップと、を有する、構成を採っている。
【０１０７】
この構成により、無線基地局の位置登録を簡単にすることができる。
【０１０８】
また、本実施の形態１による無線基地局の位置登録方法は、ＩＰネットワークを通信インフラとする無線基地局の位置登録方法であって、ＩＰネットワークの接続状態を検出するステップと、ＩＰネットワークの接続状態に基づいてＧＰＳ搭載セルラー端末から前記ＧＰＳ搭載セルラー端末の位置情報を取得するするステップと、取得した前記位置情報を自己の登録位置とするステップと、を有する構成を採っている。
【０１０９】
この構成により、無線基地局の位置登録を簡単にすることができる。
【０１１０】
また、本実施の形態１によるＧＰＳ搭載セルラー端末の位置情報送信方法は、ＩＰネットワークを通信インフラとする無線基地局の位置登録を行うためのＧＰＳ搭載セルラー端末の位置情報送信方法であって、ＧＰＳ衛星からの信号に基づいて自己の位置情報を取得するステップと、自己の位置情報と関連づけられたＧＰＳ信号を受信した時刻を送信するステップと、を有する構成を採っている。
【０１１１】
この構成により、登録位置の誤差を妥当な範囲内に抑えることができる。
【０１１２】
なお、上記の実施の形態において、ＧＰＳ衛星からのＧＰＳ信号を用いた場合の例を説明したが、ＧＰＳに限らず、衛星を用いた測位システム（ＳＰＳ（Satellite Positioning System））であれば他のＳＰＳを用いることも可能である。
【産業上の利用可能性】
【０１１３】
本発明によれば、無線基地局の位置登録を簡単にすることができるので、無線基地局の位置登録システム、無線基地局及びＧＰＳ搭載セルラー端末並びに位置登録方法及び位置情報送信方法として有用である。
【図面の簡単な説明】
【０１１４】
【図１】本発明の実施の形態１の無線基地局の位置登録システムを含むシステムの全体構成図
【図２】本発明の実施の形態１の無線基地局の位置登録システムの無線基地局とＧＰＳ搭載セルラー端末の構成を説明するブロック図
【図３】本発明の実施の形態１の無線基地局の位置登録システムの位置登録動作の一例を説明するシーケンス図
【図４】本発明の実施の形態１の無線基地局の位置登録システムの位置登録動作の変形例を説明するシーケンス図
【図５】本発明の実施の形態１の無線基地局の位置登録システムの位置登録動作の他の例を説明するシーケンス図
【図６】本発明の実施の形態１の無線基地局の位置登録システムの位置登録動作の他の変形例を説明するシーケンス図
【符号の説明】
【０１１５】
１  無線基地局
２  ＧＰＳ搭載セルラー端末
３  外部のＩＰネットワーク
４  セルラーネットワーク
５  ゲートウェイ装置
６  測位サーバ
７  基地局情報管理サーバ
８  ローカルなＩＰネットワーク
９  ルータ
１０  ＤＨＣＰサーバ
１１  ブリッジ
１２  ＧＰＳ衛星
１３  従来の無線基地局
１０１  セルラー送受信部
１０２  ＩＰネットワーク接続状態検出部
１０３  位置登録部
１０４  ＩＰネットワークインターフェース
１０５  プロトコル変換部
１０６  セルＩＤ情報保持部
１０７  端末認証情報保持部
１０８  位置情報保持部
２０１  セルラー送受信部
２０２  ＧＰＳ部
２０３  通話部
２０４  表示部
２０５  操作入力部
２０６  端末制御部
２０７  端末認証情報保持部
２０２１  ＧＰＳ受信部
２０２２  測位演算部
２０２３  アシストデータ取得部
２０２４  位置情報保持部
【図１】
2009200644.tif 000003
【図２】
2009200644.tif 000004
【図３】
2009200644.tif 000005
【図４】
2009200644.tif 000006
【図５】
2009200644.tif 000007
【図６】
2009200644.tif 000008